(57)【要約】【課題】プロジェクタは、使用時のレンズカバーの取り外し忘れや、持ち運ぶ際の専用ケースへの収納など、色々な不便さを有している。この課題の少なくとも一部を解決するためになされたものである。【解決手段】プロジェクタ１は、カバー部１０を備え、カバー部１０は、第１カバー部２０と第２カバー部３０と固定部４０と、を有し、カバー部１０は、第１カバー部２０が投写レンズ６０の先端部を閉塞し、固定部４０で第１カバー部２０に対して回動した第２カバー部３０を本体１Ａと固定することにより、プロジェクタ１のカバー機構として機能し、また、カバー部１０は、第１カバー部２０が投写レンズ６０の先端部を開放し、固定部４０で第１カバー部２０に対して回動した第２カバー部３０を第１カバー部２０の所定の位置に固定することにより、プロジェクタ１の脚および投写角度調整機構として機能する。【選択図】図４
2009075306.tif 000002
【特許請求の範囲】
【請求項１】
投写レンズを介して画像を投写するプロジェクタであって、
前記投写レンズの先端部を開放または閉塞するカバー部を備え、
前記カバー部は、前記プロジェクタの本体に回動自在に軸支されて前記投写レンズの前記先端部を開放または閉塞する第１カバー部と、当該第１カバー部に回動自在に軸支される第２カバー部と、当該第２カバー部と前記本体との固定および前記第１カバー部と前記第２カバー部との固定を行なう固定部と、を有し、
前記カバー部は、前記第１カバー部が前記投写レンズの前記先端部を閉塞し、前記固定部で前記第１カバー部に対して回動した前記第２カバー部を前記本体と固定することにより、前記プロジェクタのカバー機構として機能し、
また、前記カバー部は、前記第１カバー部が前記投写レンズの前記先端部を開放し、前記固定部で前記第１カバー部に対して回動した前記第２カバー部を前記第１カバー部の所定の位置に固定することにより、前記プロジェクタの脚および投写角度調整機構として機能することを特徴とするプロジェクタ。
【請求項２】
請求項１に記載のプロジェクタであって、
前記カバー部が、前記プロジェクタの前記カバー機構として機能する場合は、前記第２カバー部は、前記プロジェクタの前記本体の対応する領域を閉塞し、
前記カバー部が、前記プロジェクタの前記脚および前記投写角度調整機構として機能する場合は、前記第２カバー部は、前記プロジェクタの前記本体の対応する前記領域を開放することを特徴とするプロジェクタ。
【請求項３】
請求項１または請求項２に記載のプロジェクタであって、
前記固定部は、前記第２カバー部と前記第１カバー部との固定において、スライドさせて前記所定の位置に固定することを特徴とするプロジェクタ。
【請求項４】
請求項１〜請求項３のいずれか一項に記載のプロジェクタであって、
前記カバー部は、前記プロジェクタの前記本体を前記所定の位置に固定する際、前記所定の位置に対応した投写角度を表示する投写角度表示部を有することを特徴とするプロジェクタ。
【請求項５】
請求項１〜請求項４のいずれか一項に記載のプロジェクタであって、
前記投写角度表示部に表示される角度情報を入力する入力部と、
前記入力部に入力された前記角度情報に基づいて前記投写される画像の歪補正を行なう画像処理部と、を有することを特徴とするプロジェクタ。
【発明の詳細な説明】
【技術分野】
【０００１】
本発明は、プロジェクタに関する。
【背景技術】
【０００２】
従来、プロジェクタは、光源から射出された光束を画像情報に基づいて変調し、変調された光学像を投写レンズを介して、投写対象面（例えば、スクリーン）に投写している。また、プロジェクタは、投写レンズの先端部を覆うレンズカバーを有し、プロジェクタを使用しない場合には、レンズカバーを先端部に取り付けて（閉塞して）投写レンズを保護（レンズ面への塵埃の付着防止、レンズ面への物の接触による傷付き防止や破損防止など）している。なお、プロジェクタを使用する際には、レンズカバーを先端部から取り外して（開放して）使用する。また、プロジェクタには、本体の底面（プロジェクタを机上面などに載置する場合の机上面側となる面）に高さ（底面からの突出量）が調整できる脚が設置されており、ユーザは、脚の高さを調整（投写角度を調整）して、プロジェクタが画像を投写する際に、投写対象面内の所望する位置に画像を投写させている。
【０００３】
なお、特許文献１には、プロジェクタの本体に回動自在に軸支されて投写レンズの先端部に対して開放閉塞を行なうカバー部材を有し、カバー部材が、投写レンズの先端部を開放し所定の位置に位置することで、プロジェクタの脚およびチルト機構として機能するプロジェクタが開示されている。
【０００４】
【特許文献１】特開２００６−２２７０５０号公報
【発明の開示】
【発明が解決しようとする課題】
【０００５】
従来のプロジェクタにおいて、プロジェクタを使用する際に、ユーザは、レンズカバーを取り外すことを忘れることがある。また、プロジェクタを持ち運ぶ際には、プロジェクタを保護するための専用ケースに収納する必要がある。このように従来のプロジェクタは、色々な不便さを有している。従って、このような不便さを改善してプロジェクタの利便性の向上を図ることが課題となっている。
【課題を解決するための手段】
【０００６】
本発明は、上述した課題の少なくとも一部を解決するためになされたものであり、以下の形態または適用例として実現することが可能である。
【０００７】
（適用例１）本適用例に係るプロジェクタは、投写レンズを介して画像を投写するプロジェクタであって、投写レンズの先端部を開放または閉塞するカバー部を備え、カバー部は、プロジェクタの本体に回動自在に軸支されて投写レンズの先端部を開放または閉塞する第１カバー部と、第１カバー部に回動自在に軸支される第２カバー部と、第２カバー部と本体との固定および第１カバー部と第２カバー部との固定を行なう固定部と、を有し、カバー部は、第１カバー部が投写レンズの先端部を閉塞し、固定部で第１カバー部に対して回動した第２カバー部を本体と固定することにより、プロジェクタのカバー機構として機能し、また、カバー部は、第１カバー部が投写レンズの先端部を開放し、固定部で第１カバー部に対して回動した第２カバー部を第１カバー部の所定の位置に固定することにより、プロジェクタの脚および投写角度調整機構として機能することを特徴とする。
【０００８】
このようなプロジェクタによると、カバー部を用いて、第１カバー部で投写レンズの先端部を閉塞し、固定部で第１カバー部に対して回動した第２カバー部を本体と固定することにより、カバー機構（投写レンズの保護）として機能するため、この状態で、プロジェクタを持ち運ぶことができる。従って、プロジェクタを持ち運ぶ際、従来の専用ケースと略同様にプロジェクタを保護することができるため、プロジェクタの利便性の向上を図ることができる。また、カバー部を用いて、第１カバー部が投写レンズの先端部を開放し、固定部で第１カバー部に対して回動した第２カバー部を第１カバー部と所定の位置に固定することにより、脚および投写角度調整機構として機能する。これにより、プロジェクタが画像を投写する際に、カバー部により、投写レンズの先端部を開放するため、従来の課題であったレンズカバーの取り外し忘れを防止できると共に、脚として機能してプロジェクタを載置面に安定して載置でき、また、投写角度調整機構として機能して投写角度の調整を行ない、ユーザの所望する位置に安定して画像を投写することができる。従って、プロジェクタの利便性の向上を図ることができる。
【０００９】
（適用例２）上記のプロジェクタであって、カバー部が、プロジェクタのカバー機構として機能する場合は、第２カバー部は、プロジェクタの本体の対応する領域を閉塞し、カバー部が、プロジェクタの脚および投写角度調整機構として機能する場合は、第２カバー部は、プロジェクタの本体の対応する領域を開放することが好ましい。
【００１０】
このようなプロジェクタによると、カバー部が、プロジェクタのカバー機構として機能する場合は、第２カバー部は、プロジェクタの本体の対応する領域を閉塞するため、第２カバー部により、プロジェクタの本体の対応する領域を保護するカバー機構として機能させることができる。また、カバー部が、プロジェクタの脚および投写角度調整機構として機能する場合は、第２カバー部は、プロジェクタの本体の対応する領域を開放することにより、プロジェクタの本体の対応する領域を使用することができる。従って、プロジェクタの利便性の向上を更に図ることができる。
【００１１】
（適用例３）上記のプロジェクタであって、固定部は、第２カバー部と第１カバー部との固定において、スライドさせて所定の位置に固定することが好ましい。
【００１２】
このようなプロジェクタによると、スライドさせて所定の位置に固定するため、投写角度を調整することが簡易となり、また、脚として、安定してプロジェクタを載置面（例えば、机上面など）に載置することができる。
【００１３】
（適用例４）上記のプロジェクタであって、カバー部は、プロジェクタの本体を所定の位置に固定する際、所定の位置に対応した投写角度を表示する投写角度表示部を有することが好ましい。
【００１４】
このようなプロジェクタによると、カバー部によりプロジェクタの本体を所定の位置に固定する際に、カバー部の有する投写角度表示部が表示する投写角度により、所定の位置に対応した投写角度を知ることができ、所定の位置を投写角度と関連付けて固定することができる。これにより、例えば、ユーザは、投写対象面に合わせてユーザの所望する所定の位置で固定部を固定（プロジェクタの本体を所定の位置で固定）した場合、その固定した所定の位置に対応する投写角度を投写角度表示部により知ることができる。また、例えば、前もって合わせたい投写角度がわかっている場合、投写角度表示部によりその投写角度に対応するように固定部を固定することで、ユーザの所望する投写角度でプロジェクタの本体を固定することができる。従って、ユーザがプロジェクタの本体の投写角度を調整する際、投写角度表示部に表示する投写角度を目安とすることができ、投写角度調整の簡易性を向上できる。
【００１５】
（適用例５）上記のプロジェクタであって、投写角度表示部に表示される角度情報を入力する入力部と、入力部に入力された角度情報に基づいて投写される画像の歪補正を行なう画像処理部と、を有することが好ましい。
【００１６】
このようなプロジェクタによると、ユーザは、投写角度を調整した後、投写角度表示部に表示される角度情報を入力部に入力することにより、画像処理部が入力された角度情報に基づいて投写する画像の歪補正を行なう。これにより、プロジェクタが投写した画像に対して、ユーザは、台形歪が低減された投写画像として視認することができる。これにより、プロジェクタの利便性の向上を図ることができる。
【発明を実施するための最良の形態】
【００１７】
以下、実施形態を図面に基づいて説明する。
【００１８】
図１は、本実施形態に係るプロジェクタのカバー部をカバー機構として機能させた状態の説明図であり、図１（ａ）は斜視図であり、図１（ｂ）は側面図である。図２は、プロジェクタのカバー部をカバー機構として機能させた状態での要部断面図であり、図２（ａ）は図１（ａ）のＡ部の断面図であり、図２（ｂ）は図１（ａ）のＢ部の断面図である。図３は、投写角度表示部の説明図である。図１〜図３を参照して、プロジェクタ１の構成と動作を説明する。
【００１９】
図１に示すように、プロジェクタ１の本体１Ａは、装置ケース２により外装が構成されている。そして、プロジェクタ１は、プロジェクタ１の本体１Ａの前面部１ａに、投写光学系（図５参照）を構成する投写レンズ６０が突設されている。また、前面部１ａには、本体１Ａ内部の温まった空気を本体１Ａ外部に排気する排気口３が設置されている。
【００２０】
また、本体１Ａの上面部１ｂには、投写レンズ６０の投写倍率調整を行なうズームレンズ調整レバー６５（図４参照）や焦点調整を行なうフォーカスレンズ調整レバー６６（図４参照）が開口部４の内部で投写レンズ６０の筐体側面に突設されている。また、上面部１ｂには、開口部４に隣接して、入力部８０（図５参照）を構成する入力キー８１が設置されている。入力キー８１は、入力キー８１の頂点の高さが上面部１ｂから突出しない高さとなるように、上面部１ｂから一段下がった領域に設置されている。
【００２１】
なお、プロジェクタ１の本体１Ａの背面部１ｃには、図示は省略するが、外部入力端子や、電源コネクタなどが設置されている。また、本体１Ａの右側面部１ｄには、後述する固定部材４１の係合突起４１２（図２参照）を係合して固定する固定孔５（図２、図４参照）が設置されている。また、本体１Ａの左側面部１ｅには、図示は省略するが、本体１Ａ内部の温まった構成各部を冷却するための外気を供給する吸気口や、プロジェクタ１を持ち運ぶための取っ手などが設置されている。また、本体１Ａの底面部１ｆには、前面部１ａ側に２つおよび背面部１ｃ側に１つの固定された固定脚９０が各々設置されている。また、底面部１ｆには、図示は省略するが、本体１Ａ内部の温まった構成各部を冷却するための外気を供給する吸気口や、光源ランプの交換時に開閉するランプ蓋なども設置されている。
【００２２】
次に、本実施形態の特徴となるカバー部１０の構成を説明する。
カバー部１０は、第１カバー部２０と第２カバー部３０と固定部４０とを有して構成されている。第１カバー部２０は、略長方形形状で板状に形成された第１カバー部材２１を有して構成されている。そして、第１カバー部材２１は、プロジェクタ１の本体１Ａの前面部１ａ全体を略覆う面積を有している。
【００２３】
また、本体１Ａの前面部１ａには、底面部１ｆと右側面部１ｄとの境界近傍に第１カバー軸支突起６が、また、底面部１ｆと左側面部１ｅとの境界近傍に第１カバー軸支突起７が、突設して形成されている。そして、この２つの第１カバー軸支突起６，７に第１カバー部材２１の右側面部２１ｄおよび左側面部２１ｅの各々の一方の端部が挟まれる形態となる。そして、軸支ピン８が、第１カバー軸支突起６と右側面部２１ｄ、および、第１カバー軸支突起７と左側面部２１ｅに各々圧入されている。これにより、第１カバー部材２１は、本体１Ａの第１カバー軸支突起６，７（軸支ピン８）を中心に回動自在に軸支されることになる。また、第１カバー部材２１の右側面部２１ｄの略中央部には、後述する固定部材４１の係合突起４１２を係合して固定する固定孔２１１が設置されている。
【００２４】
第２カバー部３０は、略長方形形状で板状に形成された第２カバー部材３１を有して構成されている。そして、第２カバー部材３１は、右側面部３１ｄおよび左側面部３１ｅの相対する一方の端部から軸支突起３２，３３が延設されている。この軸支突起３２，３３に、第１カバー部材２１の右側面部２１ｄおよび左側面部２１ｅの各々の他方の端部が挟まれる形態となる。そして、軸支ピン９が、軸支突起３２と右側面部２１ｄ、および、軸支突起３３と左側面部２１ｅに各々圧入されている。これにより、第１カバー部材２１は、第２カバー部材３１の軸支突起３２，３３（軸支ピン９）を中心に回動自在に軸支されることになる。逆に、第２カバー部材３１は、第１カバー部材２１に（第１カバー部材２１に圧入された軸支ピン９を中心に）回動自在に軸支されることになる。また、第２カバー部材３１の幅（右側面部３１ｄから左側面部３１ｅまでの長さ）は、本体１Ａの幅（右側面部１ｄから左側面部１ｅまでの長さ）と略同一としている。
【００２５】
第２カバー部３０には、本体１Ａの固定孔５が設置される本体１Ａの右側面部１ｄに対応する側となる右側面部３１ｄに沿って、第２カバー部材３１の上面部３１ｂに凸形状を有し、後述する固定部４０を移動可能に案内する固定案内部３５が形成されている。この固定案内部３５は、図２に示すように、右側面部３１ｄに沿って長孔となる案内孔３５１が固定案内部３５を貫通して形成されている。また、固定案内部３５には、凸形状部において、右側面部３１ｄの逆側の面部３５ｅに、案内孔３５１を中心として一段窪んだ凹形状をなす案内溝３５２が形成されている。
【００２６】
また、固定案内部３５の上面部３５ｂには、プロジェクタ１の投写角度Ａ（図４参照）を表示する投写角度表示部５０が構成されている。なお、投写角度表示部５０に関しては後述する。
【００２７】
次に、図２を参照（適宜、図１も参照）して、固定部４０の構成を説明する。なお、図２（ａ）、図２（ｂ）は、図１で示す状態（カバー部１０をカバー機構として機能させた状態）において、Ａ部とＢ部とを前面部１ａに対して平行に切断して前面部１ａ側から視認した状態を示す断面図である。そして、図２（ａ）は、Ａ部として、第２カバー部材３１に形成した固定案内部３５と、固定部４０との固定構造を示し、図２（ｂ）は、Ｂ部として、本体１Ａに形成した固定孔５と、固定部４０との固定構造を示している。
【００２８】
図１、図２に示すように、固定部４０は、固定部材４１と、固定ネジ４２および固定ナット４３とを有して構成されている。固定部材４１は、略長板形状に形成され、図２（ａ）に示すように、一方の端部に、円形の挿通孔４１１が形成されている。この挿通孔４１１は、固定案内部３５の案内孔３５１に対して固定ネジ４２を通し、案内孔３５１から突出した固定ネジ４２のネジ部４２２が挿通する孔となる。なお、挿通孔４１１を挿通したネジ部４２２は、固定ナット４３と螺合することにより、固定部４０が、固定案内部３５に固定される。
【００２９】
また、固定部材４１は、図２（ｂ）に示すように、他方の端部に、固定孔５に挿し込まれて固定孔５と回動自在に係合する係合突起４１２を有して構成されている。
【００３０】
この係合突起４１２は、固定部材４１の裏面から略紡錘形状で軸方向の中心部がえぐられた形状を有して突設されて形成されている。この係合突起４１２を固定孔５に挿し込むことにより、紡錘形状部分が、えぐられた中心部の方向に撓むことで固定孔５の内部に挿入される。これにより、固定部材４１は、固定孔５に回動自在に固定される。なお、固定孔５から係合突起４１２を取り外す場合にも、紡錘形状部分が、えぐられた中心部の方向に撓むことで行なわれる。なお、固定孔５は、装置ケース２に形成されており、装置ケース２内側には、固定孔５と同心円で、紡錘形状部分を遊嵌する孔部５１が形成されている。
【００３１】
また、固定部材４１には、係合突起４１２の形成される部位に相対する表面に、略半円の板形状を有する把持部４１３が突設して形成されている。この把持部４１３を把持して係合突起４１２を固定孔５に挿し込んだり取り外したりする（着脱する）ことができる。
【００３２】
固定ネジ４２は、矩形状のネジ頭４２１と、雄ネジが形成されたネジ部４２２とを有して構成されている。また、固定ナット４３は、略円柱形状を有しており、一端部に固定ネジ４２のネジ部４２２と螺合する雌ネジが形成されたネジ部４３１を有している。なお、固定ナット４３の円柱側面は、凹凸形状（図示は省略）に加工されて、ユーザが指先で把持し易くさせている。ユーザは、この固定ナット４３の円柱側面を把持して回転させることで、固定ネジ４２と螺合させて固定部材４１を固定案内部３５に固定し、また逆に、固定ネジ４２との螺合を若干解除させて固定部材４１を固定案内部３５に対して移動可能とさせることができる。
【００３３】
なお、図２（ａ）に示すように、固定案内部３５での固定部４０の固定は、固定案内部３５の面部３５ｅ側から、固定ネジ４２を案内孔３５１に挿入して、矩形状のネジ頭４２１を案内溝３５２内に位置させる。この案内溝３５２の溝幅は、ネジ頭４２１の矩形状の一辺の長さと略同一に設定している。ネジ頭４２１は、この状態で、案内溝３５２に沿って移動（スライド）可能となる。しかし、ネジ頭４２１は、案内溝３５２内では回転は不可能となる。
【００３４】
この状態で、固定部材４１の挿通孔４１１を、ネジ部４２２を挿通させるように右側面部３１ｄ側から設置する。その後、固定ナット４３のネジ部４３１を、固定部材４１の挿通孔４１１を挿通したネジ部４２２に螺合させる。このようにして、固定部材４１が、固定案内部３５の右側面部３１ｄと固定ナット４３に挟まれ、固定案内部３５に固定される。
【００３５】
なお、固定ネジ４２は、ネジ頭４２１が案内溝３５２により回転不可となるため、固定ナット４３を回動することで、固定部材４１を固定したり、固定を緩めたりすることができる。
【００３６】
次に、図１を参照して、カバー部１０をカバー機構として機能させる場合の、カバー部１０のプロジェクタ１の本体１Ａに対する位置関係を、カバー部１０の操作手順を含めて説明する。なお、その場合、カバー部１０の初期状態として、固定部材４１の係合突起４１２は、フリー（どこにも固定されない）状態であり、また、固定部材４１は固定案内部３５の案内孔３５１に沿って移動（スライド）自在の状態とする。当然、固定ネジ４２および固定ナット４３も固定部材４１の移動に伴って移動可能となる状態である。
【００３７】
最初に、第２カバー部材３１を把持して、軸支突起３２，３３に軸支される第１カバー部材２１を、第１カバー軸支突起６，７を中心に回動させることにより、第１カバー部材２１が本体１Ａの前面部１ａを略覆う位置に位置させる。続いて、第２カバー部材３１を本体１Ａの上面部１ｂに載置する。その後、固定案内部３５に移動可能に固定される固定部材４１を移動させて、固定部材４１の係合突起４１２を固定孔５に挿し込む。
【００３８】
その後、固定ナット４３または固定部材４１を把持して、固定案内部３５の案内孔３５１に沿って移動させ、固定ナット４３の略中心部が固定案内部３５の上面部３５ｂに形成した投写角度表示部５０に表示される所定の位置に位置させる。本実施形態では、図３に示す投写角度表示部５０において、投写角度表示部５０の「Ｓ」の位置に対して、固定ナット４３の略中心部を位置させる。この状態で、固定ナット４３を回転することにより固定部材４１を固定案内部３５に固定する。
以上の動作により、カバー部１０をカバー機構として機能させる場合の、カバー部１０のプロジェクタ１の本体１Ａに対する位置に固定することができる。
【００３９】
この状態により、カバー部１０はカバー機構として機能し、図１（ａ）に示すように、第１カバー部材２１は、前面部１ａに突設される投写レンズ６０の先端部や排気口３などを覆う（閉塞する）形態となる。また、図１（ｂ）に示すように、第２カバー部材３１は、上面部１ｂに載置される形態となり、本実施形態では、本体１Ａの第２カバー部材３１に対応する領域となる開口部４や入力キー８１を覆う（閉塞する）形態となる。
【００４０】
なお、この状態において、図１（ｂ）に示すように、第１カバー部材２１の本体１Ａ側に対向する面と投写レンズ６０の先端部とは若干の隙間を有している。また、この状態では、図１（ｂ）に示すように、第２カバー部材３１と固定部材４１とは略直角の位置となるように設定されている。また、図１（ｂ）に示すように、カバー部１０をカバー機構として機能させた状態で、プロジェクタ１を載置面Ｍなどに載置する場合、本体１Ａの底面部１ｆに設置した固定脚９０が載置面Ｍと接触し、プロジェクタ１の本体１Ａを支えることになる。
【００４１】
図３を参照して、投写角度表示部５０に関して説明する。
投写角度表示部５０は、固定案内部３５の上面部３５ｂに形成されている。本実施形態では、投写角度表示部５０として、固定案内部３５の上面部３５ｂに印刷手段により印刷されて形成されている。また、投写角度表示部５０は、カバー部１０を投写角度調整機構として機能させる場合の投写角度Ａ（図４参照）を印刷して表示している。ユーザは、所望する投写角度Ａに設定した場合、固定ナット４３の中心部が、投写角度表示部５０の示す数値のどの位置に位置しているかを確認することで、設定した投写角度Ａを知ることができる。また、逆に、ユーザは、所望する投写角度Ａとなるように、投写角度表示部５０の示す投写角度Ａを視認しながら固定ナット４３の中心部を合わせることで設定することもできる。
【００４２】
図４は、本実施形態に係るプロジェクタのカバー部を脚および投写角度調整機構として機能させた状態の説明図であり、図４（ａ）は斜視図であり、図４（ｂ）は側面図である。図４を参照して、カバー部１０を脚および投写角度調整機構として機能させる場合の、カバー部１０のプロジェクタ１の本体１Ａに対する位置関係を、カバー部１０の操作手順を含めて説明する。なお、その場合、カバー部１０の初期状態として、図１に示した、カバー部１０がカバー機構として機能している状態とする。
【００４３】
最初に、固定部材４１の把持部４１３を把持して引っ張ることにより、固定孔５から係合突起４１２（図２参照）を引き抜く。次に、固定ナット４３を把持して回転させ、固定ネジ４２（図２参照）との固定を緩める。これにより、固定部材４１（固定ネジ４２、固定ナット４３を含む）は、固定案内部３５の案内孔３５１に沿って移動自在の状態となる。
【００４４】
次に、本体１Ａの上面部１ｂを覆っていた第２カバー部材３１を把持して持上げ、第２カバー部材３１が、本体１Ａの底面部１ｆ側にくるように回転させる。この第２カバー部材３１の回転（移動）に伴い、第２カバー部材３１を回動自在に軸支する第１カバー部材２１が、第１カバー軸支突起６，７（軸支ピン８）を中心に回転する。これにより、第２カバー部材３１が第１カバー部材２１に対して折り返された形態となる。また、これにより、第２カバー部材３１は、開口部４や入力キー８１を開放する状態となる。また、第１カバー部材２１は、投写レンズ６０の先端部や排気口３などを開放する状態となる。
【００４５】
この状態で、固定部材４１の把持部４１３を把持して、第１カバー部材２１の右側面部２１ｄに形成された固定孔２１１に、係合突起４１２を挿し込む。これにより、固定部材４１は、固定孔２１１と回動自在に固定される。次に、プロジェクタ１の電源を投入し、プロジェクタ１を起動させ、投写レンズ６０から投写画像を投写させる。この投写画像を投写対象面（例えば、スクリーン）に投写させながら、固定ナット４３を把持し、ユーザの所望する位置に投写画像が投写されるように、固定ナット４３を案内孔３５１に沿って移動させる。この移動に伴い、固定部材４１および固定ネジ４２が移動する。
【００４６】
なお、固定ナット４３を移動する際は、第２カバー部材３１の裏面部３１ｆが載置面Ｍ（本実施形態では机上面）に接触するように、また、本体１Ａの底面部１ｆに設置される背面部１ｃ側の固定脚９０を支点として、固定ナット４３を載置面Ｍに押し付けるように移動することが必要である。以上の操作により投写角度Ａが決まった場合、固定ナット４３を回転させて、固定ネジ４２および固定部材４１を、固定案内部３５に固定することで、投写角度調整が完了する。
【００４７】
なお、図４（ｂ）に示すように、投写角度Ａは、プロジェクタ１の光軸Ｌと載置面Ｍとのなす角度である。また、この時、上述したように、プロジェクタ１は、底面部１ｆの背面部１ｃ側に設置した固定脚９０と第２カバー部材３１の裏面部３１ｆが載置面Ｍに接して、プロジェクタ１の本体１Ａが固定され、カバー部１０がプロジェクタ１の本体１Ａを支える脚として機能する。これにより、投写角度調整が完了した後の投写画像は、ユーザの所望する位置に安定して投写される。
【００４８】
図４に示すように、ユーザが、投写角度調整を行なって、カバー部１０をプロジェクタ１の本体１Ａに固定した状態（投写角度調整を完了させた状態）での、投写角度表示部５０と固定ナット４３との状態が図３に示される状態である。図３に示すように、本実施形態では、固定ナット４３の中心位置は、投写角度表示部５０に示す数値「１５」の位置となっている。これは、投写角度Ａは、約１５°であることを示している。
【００４９】
なお、本実施形態では、プロジェクタ１の投写角度Ａの範囲を、５°から２５°の範囲として設定可能としており、投写角度Ａに対応する位置を、図３に示すように、投写角度表示部５０に表示している。しかし、この投写角度範囲に限定されることはなく、適宜、投写角度範囲を狭めたり広げたりすることができる。その場合、カバー部１０を構成する各部材の形状や位置関係を適宜変更することで対応できる。
【００５０】
図５は、プロジェクタ１の回路系および光学系の概略構成図である。図６は、投写対象面に投写された画像の説明図であり、図６（ａ）は歪補正されていない状態の図であり、図６（ｂ）は歪補正された状態の図である。図５、図６を参照して、回路系および光学系の構成および動作を説明する。また、本実施形態での特徴となる歪補正に関して説明する。
【００５１】
図５に示すように、プロジェクタ１は、入力された画像信号をデジタル信号に変換するＡ／Ｄ変換部１００と、光変調素子としての液晶パネル１４０の仕様に合わせてデジタル信号を縮小や拡大（スケーリング）処理する画像処理部１１０と、を備えている。また、プロジェクタ１は、液晶パネル１４０に表示するために画像処理されたデジタル信号を変換する液晶パネル駆動部１２０とを備えている。また、プロジェクタ１は、ユーザがプロジェクタ１の操作を行なうための入力部８０を備えている。
【００５２】
そして、光束を射出する光源（光源ランプ）や射出された光束を偏光変換および色分離する光学素子を有する照明光学系１３０と、光変調を行なう液晶パネル１４０と、液晶パネル１４０からの透過光を色合成し、その合成光を拡大投写する投写光学系としての投写レンズ６０とを備えている。また、これらの動作のタイミングなどを含め、動作全体を制御する制御部７０を備えている。
【００５３】
投写光学系としての投写レンズ６０は、投写対象面（例えば、スクリーン）に投写された画像に対して、その画像サイズを拡大・縮小（投写倍率調整）するためのズームレンズ６１と、投写された画像の焦点調整を行なうフォーカスレンズ６２とを有して構成されている。なお、ズームレンズ６１およびフォーカスレンズ６２は、それぞれ複数枚のレンズにより構成されている。そして、ズームレンズ６１は、本実施形態では、ズームレンズ調整レバー６５（図４参照）を手動で回動させることにより投写倍率調整を行なう。また、フォーカスレンズ６２は、本実施形態では、フォーカスレンズ調整レバー６６（図４参照）を手動で回動させることにより焦点調整を行なう。
【００５４】
制御部７０は、各種制御プログラムに基づいて演算処理およびシステム全体を制御するＣＰＵ７１と、予めＣＰＵ７１の制御プログラムや、各種テーブルを記憶しているＲＯＭ７２と、ＲＯＭ７２などから読み出したデータやＣＰＵ７１の演算過程で必要な演算結果を記憶するＲＡＭ７３などで構成されている。また、これらは、データを転送するための信号線であるバスにより、相互にデータ授受可能に接続されている。
【００５５】
ここで、歪補正に関して説明する。
本実施形態では、カバー部１０によりプロジェクタ１の投写角度調整を行なった場合、投写角度表示部５０に表示される角度情報を入力部８０に入力することにより、プロジェクタ１は歪補正を行なうことができる。
【００５６】
入力部８０への角度情報の入力は、本実施形態の場合、角度情報として投写角度Ａを数値で入力する。詳細には、図３に示すように、投写角度Ａが約１５°であるため、角度情報として数値「１５」を入力キー８１を用いて入力部８０へ入力する。
【００５７】
入力部８０に入力された角度情報に基づいて、制御部７０のＣＰＵ７１は、ＲＯＭ７２内に記憶する投写角度Ａと歪補正量との関係を示すテーブルを読み込む。そして、ＣＰＵ７１は取得した投写角度Ａと比較して対応する歪補正量を決定する。そして、ＣＰＵ７１は、決定した歪補正量に対応した信号を画像処理部１１０に出力する。画像処理部１１０は、ＣＰＵ７１から出力された信号に基づいて投写する画像データに対して歪補正を実行する。このような動作により、投写対象面に投写される画像は、ユーザが入力した投写角度Ａに応じて歪補正された略矩形形状の投写画像とすることができる。
【００５８】
本実施形態では、カバー部１０を用いてプロジェクタ１の投写角度調整を行なった場合、その時点での投写対象面に投写された画像は、図６（ａ）に示すように、画像の両サイドに投写角度Ａによる歪（本実施形態では、上側が広く、下側が狭くなる台形歪）を有した画像Ｇ１となる。しかし、上述したように、ユーザが、プロジェクタ１の投写角度調整を行なった後、本実施形態では、投写角度Ａの角度情報として入力部８０に数値「１５」を入力する。これにより、図６（ｂ）に示すように、プロジェクタ１は、投写角度Ａ（１５°）に対応した歪補正がなされた矩形状の画像Ｇ２として投写を行なうため、ユーザは、正常な画像として視認することができる。
【００５９】
上述した、実施形態によれば以下の効果が得られる。
（１）本実施形態のプロジェクタ１は、カバー部１０を用いて、第１カバー部２０（第１カバー部材２１）で投写レンズ６０の先端部を閉塞し、固定部４０で第１カバー部２０に対して回動した第２カバー部３０を本体１Ａと固定する。これにより、カバー部１０が、カバー機構として機能するため、本実施形態では、投写レンズ６０の先端部や排気口３に塵埃が付着することを低減することができ、また、耐磨耗性や耐擦傷性を向上させることができる。また、カバー部１０でプロジェクタ１の本体１Ａをカバーすることにより、従来の専用ケースと略同様にプロジェクタ１を保護することができるため、プロジェクタ１の保管や、プロジェクタ１の持ち運びを行なうことができる。従って、プロジェクタ１の利便性の向上を図ることができる。
【００６０】
（２）本実施形態のプロジェクタ１は、カバー部１０が、プロジェクタ１のカバー機構として機能する場合、第２カバー部３０（第２カバー部材３１）は、プロジェクタ１の本体１Ａの対応する領域となる入力部８０や開口部４を閉塞する。そのため、第２カバー部３０は、プロジェクタ１の本体１Ａの対応する領域（入力部８０や開口部４）を保護するカバー機構として機能させることができ、従来の専用ケースと略同様にプロジェクタ１を保護することができるため、プロジェクタ１の保管や、プロジェクタ１の持ち運びを行なうことができる。従って、プロジェクタ１の利便性の向上を図ることができる。
また、カバー部１０が、プロジェクタ１の脚および投写角度調整機構として機能する場合、第２カバー部３０は、プロジェクタ１の本体１Ａの対応する領域（入力部８０や開口部４）を開放することにより、プロジェクタ１の入力部８０や開口部４を使用することができる。従って、プロジェクタ１の利便性の向上を更に図ることができる。
【００６１】
（３）本実施形態のプロジェクタ１は、カバー部１０を用いて、第１カバー部２０が投写レンズ６０の先端部を開放し、ユーザが設定した所望の位置（所定の位置）となるように、第１カバー部２０に対して回動した第２カバー部３０を、第１カバー部２０に、固定部４０で固定することにより、脚および投写角度調整機構として機能する。これにより、プロジェクタ１が画像を投写する際に、カバー部１０により、投写レンズ６０の先端部を開放するため、従来の課題であったレンズカバーの取り外し忘れを防止できる。また併せて、脚として機能してプロジェクタ１を載置面Ｍに安定して載置でき、また、投写角度調整機構として機能して投写角度Ａの調整を行ない、ユーザの所望する位置に安定して画像を投写することができる。従って、プロジェクタ１の利便性の向上を図ることができる。
【００６２】
（４）本実施形態のプロジェクタ１は、第２カバー部３０と第１カバー部２０との固定において、固定部４０により、スライドさせて所定の位置に固定できるため、投写角度Ａを調整することが簡易となり、また、脚として、安定してプロジェクタ１を載置面Ｍなどに載置することができる。
【００６３】
（５）本実施形態のプロジェクタ１において、カバー部１０（第２カバー部材３１）は、プロジェクタ１の投写角度Ａを表示する投写角度表示部５０を有している。そして、固定部４０の固定ナット４３の中心位置により、固定した場合の投写角度Ａを知ることができる。そのため、ユーザがプロジェクタ１の投写角度Ａを調整する際の目安とすることができ、投写角度調整の簡易性を向上できる。なお、本実施形態では、カバー部１０を固定することにより、プロジェクタ１の本体１Ａを固定した際、固定ナット４３の中心位置により、投写角度Ａを確認して入力部８０に角度情報として入力することができる。
【００６４】
（６）本実施形態のプロジェクタ１は、投写角度表示部５０に表示される角度情報を入力する入力部８０と、入力部８０に入力された角度情報に基づいて投写される画像の歪補正を行なう画像処理部１１０と、を有する。そして、ユーザは、投写角度Ａを調整した後、投写角度表示部５０に表示される角度情報として投写角度Ａを入力部８０に入力することにより、画像処理部１１０が入力された角度情報に基づいて投写する画像の歪補正を行なう。これにより、プロジェクタ１が投写した画像に対して、ユーザは、台形歪が低減された画像Ｇ２として視認することができる。これにより、プロジェクタ１の利便性の向上を図ることができる。
【００６５】
なお、上述した実施形態に限定されず、種々の変更や改良などを加えて実施することが可能である。変形例を以下に述べる。
【００６６】
（変形例１）前記実施形態のプロジェクタ１において、第２カバー部３０（第２カバー部材３１）は、プロジェクタ１の入力部８０や開口部４に対してカバー機能を有している。しかし、これに限らず、第２カバー部材３１は、第１カバー部２０に回動自在に軸支される軸支突起３２，３３や固定案内部３５が構成されていれば良く、入力部８０や開口部４に対してカバー機能を有さなくても良い。
【００６７】
（変形例２）前記実施形態のプロジェクタ１において、カバー部１０を構成する固定部４０は、固定ナット４３を完全に固定ネジ４２から外すことができる（固定部材４１、固定ネジ４２および固定ナット４３が分離できる）構造となっている。しかし、固定ナット４３は、固定部材４１が案内孔３５１に沿って移動可能となる程度は緩めることができ、完全に固定ネジ４２から外すことができない構造とすることで、固定部４０の移動や固定における作業性の向上を更に図ることができる。
【００６８】
（変形例３）前記実施形態のプロジェクタ１において、カバー部１０の一般的な操作の例（前もって投写角度Ａがわかっていない場合の例）を示している。しかし、前もって所定の位置となる投写角度Ａがわかっている場合には、その投写角度Ａとなるように、固定ナット４３の中心位置を、投写角度表示部５０に表示される所定の位置に固定ナット４３を案内孔３５１に沿って移動する。そして、固定ナット４３を所望する位置に合わせた後、固定ナット４３を回転させて、固定ネジ４２および固定部材４１を、固定案内部３５に固定することでも良い。これにより、所望する所定の位置（投写角度Ａ）に簡単に合わせ込むことができる。従って、投写角度表示部５０により、ユーザがプロジェクタ１の投写角度Ａを調整する際の目安とすることができ、投写角度調整の簡易性を向上できる。
【００６９】
（変形例４）前記実施形態のプロジェクタ１において、プロジェクタ１とは別体で、プロジェクタ１の操作を行なうためのリモコン装置（リモートコントローラ）を設け、そのリモコン装置からの信号を受信して制御部７０に信号を送るリモコン制御部とをプロジェクタ１の本体１Ａに備えても良い。これにより、ユーザは入力部８０から角度情報を入力できるばかりでなく、リモコン装置からも角度情報を入力することができ、プロジェクタ１の操作性の向上を図ることができる。
【００７０】
（変形例５）前記実施形態のプロジェクタ１において、投写角度表示部５０に表示される投写角度Ａ（角度情報）として、投写角度Ａを数値で示している。しかし、数値ではなく、角度のレベルを示しても良い。そして、入力部８０に角度情報を入力するには、そのレベルを示す文字を入力することで、歪補正を行なわせても良い。その際、ＲＯＭ７２に記憶するテーブルは、レベルを示す文字と補正量との対応を示すテーブルに適宜変更する。
【００７１】
（変形例６）前記実施形態のプロジェクタ１において、第１カバー部材２１や第２カバー部材３１は、プラスチック材料で成形されている。しかし、これに限らず、第１カバー部材２１および第２カバー部材３１がカバー機構として機能する領域は、別の材質（例えば、金属材料、紙材料、革（本革・合成皮革）材料、木材など）で構成することにより、カバー部１０のデザインの自由度を向上させることができる。
【００７２】
（変形例７）前記実施形態のプロジェクタ１において、固定案内部３５および固定部４０は、第２カバー部材３１の右側面部１ｄ側に１つ設置している。しかし、これに限らず、第２カバー部材３１の左側面部１ｅ側にも設置しても良い。このような構成にすることにより、カバー部をカバー機構や脚機構として更に安定して機能させることができる。
【００７３】
（変形例８）前記実施形態のプロジェクタ１の光学系において、光変調素子としての液晶パネル１４０は、透過型の液晶パネルを用いているが、反射型の液晶パネルなど、反射型の光変調素子を用いることも可能である。
【００７４】
（変形例９）前記実施形態のプロジェクタ１の光学系において、光変調素子としての液晶パネル１４０を用いている。しかし、これに限らず、一般に、入射光を画像情報に応じて変調するものであればよく、マイクロミラー型光変調素子などを用いても良い。なお、マイクロミラー型光変調素子としては、例えば、ＤＭＤ（Digital Micromirror Device）を用いることができる。
【００７５】
（変形例１０）前記実施形態のプロジェクタ１の光学系において、光変調素子としての液晶パネル１４０は、説明を省略したが３つの液晶パネルを用いるいわゆる３板方式を採用しているが、これに限らず、単板方式を採用しても良い。また、コントラストを向上するための液晶パネルを追加して採用しても良い。
【００７６】
（変形例１１）前記実施形態のプロジェクタ１は、フロントタイプのプロジェクタとして本発明を適用しているが、投写対象面としてのスクリーンを一体で有するリアタイプのプロジェクタにも適用できる。
【００７７】
（変形例１２）前記実施形態のプロジェクタ１の光学系において、照明光学系１３０を構成する光源は、放電式ランプ、ＬＥＤ（Light Emitting Diode）、ＬＤ（Laser Diode）などを用いることができる。
【００７８】
なお、本発明を実施するための最良の形態を、上記記載で開示しているが、本発明は、これに限定されるものではない。すなわち、本発明は、主に特定の実施形態に関して図示し、かつ、説明しているが、本発明の技術的思想および目的の範囲から逸脱することなく、上述した実施形態に対し、詳細な構成部材の形状・材質・数量などにおいて、当業者が様々な変形（変更ならびに改良）を加えることができるものである。従って、詳細な構成部材の形状・材質・数量などにおいて、当業者が様々な変形を加えることにより実施する場合も本発明に含まれるものである。
【図面の簡単な説明】
【００７９】
【図１】本実施形態に係るプロジェクタのカバー部をカバー機構として機能させた状態の説明図であり、（ａ）は斜視図であり、（ｂ）は側面図。
【図２】プロジェクタのカバー部をカバー機構として機能させた状態での断面図であり、（ａ）はＡ部の断面図であり、（ｂ）はＢ部の断面図。
【図３】投写角度表示部の説明図。
【図４】本実施形態に係るプロジェクタのカバー部を脚および投写角度調整機構として機能させた状態の説明図であり、（ａ）は斜視図であり、（ｂ）は側面図。
【図５】プロジェクタ１の回路系および光学系の概略構成図。
【図６】投写対象面に投写された画像の説明図であり、（ａ）は歪補正されていない状態の図であり、（ｂ）は歪補正された状態の図。
【符号の説明】
【００８０】
１…プロジェクタ、１Ａ…本体、１ａ…前面部、１ｂ…上面部、２…装置ケース、３…排気口、４…開口部、５…固定孔、６，７…第１カバー軸支突起、８，９…軸支ピン、１０…カバー部、２１…第１カバー部材、３０…第２カバー部、３１…第２カバー部材、３２，３３…軸支突起、３５…固定案内部、４０…固定部、４１…固定部材、４２…固定ネジ、４３…固定ナット、５０…投写角度表示部、６０…投写レンズ、７０…制御部、７１…ＣＰＵ、７２…ＲＯＭ、８０…入力部、１１０…画像処理部、２１１…固定孔、３５１…案内孔、３５２…案内溝、４１１…挿通孔、４１２…係合突起、４１３…把持部。
【図１】
2009075306.tif 000003
【図２】
2009075306.tif 000004
【図３】
2009075306.tif 000005
【図４】
2009075306.tif 000006
【図５】
2009075306.tif 000007
【図６】
2009075306.tif 000008